(57)【要約】  一つの実施の形態に係る電子機器は、第１の部分と、第２の部分と、ヒンジ部とを備える。前記第１の部分は、第１の面と、前記第１の面の反対側に位置する第２の面と、前記第１の面と前記第２の面との間に位置する第１の端部と、前記第１の端部の反対側に位置する第２の端部と、前記第１の面に設けられるとともに画像を表示する表示部と、を有する。前記第２の部分は、第３の端部及び前記第３の端部の反対側に位置する第４の端部を有する連結部と、前記連結部の前記第４の端部に取り外し可能に結合された第５の端部を有する入力部と、を有する。前記ヒンジ部は、前記第２の部分が前記表示部を覆う第１の位置と、前記第２の部分が前記第２の面を覆う第２の位置と、の間で前記連結部が移動可能に、前記第１の部分の第１の端部と前記連結部の前記第３の端部とを結合する。
2015092942.tif 000002
【特許請求の範囲】
【請求項１】
第１の面と、前記第１の面の反対側に位置する第２の面と、前記第１の面と前記第２の面との間に位置する第１の端部と、前記第１の端部の反対側に位置する第２の端部と、前記第１の面に設けられるとともに画像を表示する表示部と、を有する第１の部分と、
第３の端部及び前記第３の端部の反対側に位置する第４の端部を有する連結部と、前記連結部の前記第４の端部に取り外し可能に結合された第５の端部を有する入力部と、を有する第２の部分と、
前記第２の部分が前記表示部を覆う第１の位置と、前記第２の部分が前記第２の面を覆う第２の位置と、の間で前記連結部が移動可能に、前記第１の部分の第１の端部と前記連結部の前記第３の端部とを結合するヒンジ部と、
を具備する電子機器。
【請求項２】
前記入力部が前記連結部から取り外された状態で、前記表示部は、前記第１の位置に位置する前記連結部に部分的に覆われるとともに部分的に露出される、請求項１の電子機器。
【請求項３】
前記入力部は、前記第５の端部の反対側に位置する第６の端部を有し、
前記第１の部分の前記第１の端部と前記第２の端部との間の距離は、前記連結部の前記第３の端部と前記第４の端部との間の距離よりも長く、且つ、前記連結部の前記第３の端部と当該連結部に結合された前記入力部の前記第６の端部との間の距離に実質的に等しい、
請求項１の電子機器。
【請求項４】
前記入力部は、操作される操作部が設けられた第３の面と、前記第３の面の反対側に位置する第４の面と、を有し、前記連結部が前記第１の位置にあるときに前記第３の面が前記第１の面に対向する第１の向き、又は、前記連結部が前記第２の位置にあるときに前記第３の面が前記第２の面に対向する第２の向きで、前記連結部に結合される、請求項１の電子機器。
【請求項５】
前記連結部は、前記第４の端部に設けられた第１の端子を有し、
前記入力部は、前記第５の端部に設けられた第２の端子を有し、
前記第２の端子は、前記入力部が前記第１の向きで前記連結部に結合されたときに前記第１の端子に電気的に接続される、
請求項４の電子機器。
【請求項６】
前記入力部が前記第２の向きで前記連結部に結合されたとき、前記第１の端子と前記第２の端子との間の電気的接続が解除される、請求項５の電子機器。
【請求項７】
前記入力部はバッテリを有し、
前記入力部に結合された前記連結部は、互いに電気的に接続された前記第１の端子と前記第２の端子とを介して、前記バッテリを充電する、
請求項６の電子機器。
【請求項８】
前記連結部は二つの第１の側面を有し、
前記入力部は、前記入力部が前記第１の向きで前記連結部に結合されたとき、及び前記入力部が前記第２の向きで前記連結部に結合されたとき、のいずれの場合も前記第１の側面に連続する二つの第２の側面を有する、
請求項４の電子機器。
【請求項９】
前記第１の側面に設けられた起動部をさらに具備し、
前記起動部が操作されることにより起動する、請求項８の電子機器。
【請求項１０】
前記第２の部分は、前記連結部の前記第４の端部に設けられた第１の嵌合部と、前記入力部の前記第５の端部に設けられるとともに前記第１の嵌合部と嵌り合う第２の嵌合部と、を有し、
前記第１の嵌合部と前記第２の嵌合部とが嵌り合うことにより、前記入力部が前記連結部に支持される、
請求項１の電子機器。
【請求項１１】
前記第２の部分は、前記第１の嵌合部に設けられた第１の係合部と、前記第２の嵌合部に設けられるとともに前記第１の係合部に引っ掛かることで前記入力部が前記連結部から取り外されることを制限する第２の係合部と、を有する、請求項１０の電子機器。
【請求項１２】
前記入力部は、操作されることにより前記第２の係合部を前記第１の係合部から外す解除部を有する、請求項１１の電子機器。
【請求項１３】
前記第１の嵌合部は凸部を有し、
前記第２の嵌合部は前記凸部が嵌り込む凹部を有し、
前記入力部が前記連結部から外された状態で、前記凸部と前記第１の部分の前記第２の端部とによって支持されることが可能な、請求項１０の電子機器。
【請求項１４】
前記連結部は、前記連結部が前記第２の位置にあるときに前記第１の部分の前記第２の面に対向する第５の面と、前記第５の面に設けられた第１の通気口と、を有する、請求項１の電子機器。
【請求項１５】
前記連結部が前記第２の位置にあるとき、前記第１の部分の前記第２の面と前記連結部の前記第５の面との間に隙間が形成される、請求項１４の電子機器。
【請求項１６】
前記連結部は、前記第３の端部に設けられた第２の通気口と、前記第１の通気口及び前記第２の通気口のいずれか一方から外気を吸引するとともに、前記第１の通気口及び前記第２の通気口のいずれか他方から空気を排出する冷却部と、を有する、請求項１４の電子機器。
【請求項１７】
前記第１の部分又は前記連結部に設けられたモジュールと、
前記第１の部分又は前記連結部に設けられた第１の通信部と、
前記入力部に設けられて前記第１の通信部との間で無線通信を行なう第２の通信部と、
をさらに具備し、
前記入力部は、前記第１の通信部と前記第２の通信部とを介して、前記モジュールに情報を入力する、
請求項１の電子機器。
【請求項１８】
前記表示部は、前記画像の下方に前記第１の端部が位置する向きと、前記画像の下方に前記第２の端部が位置する向きと、で前記画像を表示可能である、請求項１の電子機器。
【請求項１９】
前記入力部が取り外された前記連結部は、前記第１の位置及び前記第２の位置の間にあるとともに前記第１の部分の前記第１の端部と前記連結部の前記第３の端部とが対向する第３の位置と、前記第２の位置と、の間に位置して前記第１の部分を支持可能である、請求項１の電子機器。
【請求項２０】
前記入力部が取り外された前記連結部が、前記第１の位置及び前記第２の位置の間にあるとともに前記第１の部分の前記第１の端部と前記連結部の前記第３の端部とが対向する第３の位置と、前記第２の位置と、の間に位置する状態で、前記第１の部分の第２の端部と、前記連結部の第４の端部と、によって支持されることが可能な、請求項１の電子機器。
【発明の詳細な説明】
【技術分野】
【０００１】
本発明の実施形態は、電子機器に関する。
【背景技術】
【０００２】
ポータブルコンピュータのような電子機器は、例えば、キーボード、タッチパッド、及びポインティングスティックのような入力装置を有する。当該入力装置は、画像を表示する液晶ディスプレイ（ＬＣＤ）のような表示装置に結合される。例えば、表示装置から離れた位置でキー入力がされる場合、外付けのキーボードが用いられる。
【先行技術文献】
【特許文献】
【０００３】
【特許文献１】特開平８−３０３５３号公報
【発明の概要】
【発明が解決しようとする課題】
【０００４】
本発明の解決すべき課題の一つは、複数の様態で使用される電子機器を提供することである。
【課題を解決するための手段】
【０００５】
一つの実施の形態に係る電子機器は、第１の部分と、第２の部分と、ヒンジ部とを備える。前記第１の部分は、第１の面と、前記第１の面の反対側に位置する第２の面と、前記第１の面と前記第２の面との間に位置する第１の端部と、前記第１の端部の反対側に位置する第２の端部と、前記第１の面に設けられるとともに画像を表示する表示部と、を有する。前記第２の部分は、第３の端部及び前記第３の端部の反対側に位置する第４の端部を有する連結部と、前記連結部の前記第４の端部に取り外し可能に結合された第５の端部を有する入力部と、を有する。前記ヒンジ部は、前記第２の部分が前記表示部を覆う第１の位置と、前記第２の部分が前記第２の面を覆う第２の位置と、の間で前記連結部が移動可能に、前記第１の部分の第１の端部と前記連結部の前記第３の端部とを結合する。
【図面の簡単な説明】
【０００６】
【図１】図１は、一つの実施の形態に係るポータブルコンピュータを示す斜視図である。
【図２】図２は、一つの実施形態のポータブルコンピュータを他の方向から示す斜視図である。
【図３】図３は、一つの実施形態のポータブルコンピュータの側面図である。
【図４】図４は、一つの実施形態のポータブルコンピュータを、第１乃至第３の筐体の一部を除いて示す斜視図である。
【図５】図５は、一つの実施形態のディスプレイ部及びベースユニットを示す斜視図である。
【図６】図６は、一つの実施形態のキーボードモジュールを示す背面図である。
【図７】図７は、一つの実施形態のタブレットモードのポータブルコンピュータの一部を示す側面図である。
【図８】図８は、一つの実施形態のセパレートモードのポータブルコンピュータを示す側面図である。
【図９】図９は、一つの実施形態のテントモードのポータブルコンピュータを示す側面図である。
【発明を実施するための形態】
【０００７】
以下に、一つの実施の形態について、図１乃至図９を参照して説明する。なお、本明細書においては基本的に、ユーザ側を前方、ユーザから遠い側を後方、ユーザから見て左側を左方向、ユーザから見て右側を右方向、ユーザから見て上方を上方向、ユーザから見て下方を下方向と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００８】
図１は、ポータブルコンピュータ１０を示す斜視図である。図２は、ポータブルコンピュータ１０を他の方向から示す斜視図である。図３は、ポータブルコンピュータ１０の側面図である。
【０００９】
ポータブルコンピュータ１０は電子機器の一例である。なお、電子機器はポータブルコンピュータ１０に限らず、例えば、パーソナルコンピュータ、テレビジョン受像装置、ディスプレイ、タブレット、携帯電話、スマートフォン、携帯ゲーム機、及びカメラのような、種々の機器であっても良い。
【００１０】
図１に示すように、ポータブルコンピュータ１０は、ディスプレイ部１１と、ベース部１２と、二つのヒンジ部１３とを有する。ディスプレイ部１１は、第１の部分の一例であり、例えば、表示部、モジュール、又はユニットとも称され得る。ベース部１２は、第２の部分の一例であり、例えば、本体、モジュール、又はユニットとも称され得る。ヒンジ部１３は、例えば、連結部、結合部、回動部、中間部、又は介在部とも称され得る。
【００１１】
図面に示されるように、本明細書において、Ｘ軸、Ｙ軸及びＺ軸が定義される。Ｘ軸とＹ軸とＺ軸とは、互いに直交する。Ｘ軸は、例えば、ベース部１２の幅（長手方向の長さ）に沿う。Ｙ軸は、例えば、ベース部１２の奥行き（短手方向の長さ）に沿う。Ｚ軸は、例えば、ベース部１２の厚さ（鉛直方向の長さ）に沿う。
【００１２】
ディスプレイ部１１は、第１の筐体２１と、ディスプレイモジュール２２とを有する。図２に示すように、ディスプレイ部１１は、複数の第１のバッテリ２３をさらに有する。第１の筐体２１は、例えば、外装部、部材、又は壁とも称され得る。ディスプレイモジュール２２は、例えば、表示装置、表示部、部品、又は部材とも称され得る。
【００１３】
図１乃至図３に示すように、第１の筐体２１は、扁平な略直方体の箱型に形成される。第１の筐体２１は、基本的に、例えばマグネシウム合金によって形成される。なお、第１の筐体２１は、他の材料によって形成されても良い。
【００１４】
第１の筐体２１は、前面３１と、背面３２と、下端部３３と、上端部３４とを有する。前面３１は、第１の面の一例である。背面３２は、第２の面の一例である。下端部３３は、第１の端部の一例である。上端部３４は、第２の端部の一例である。下端部３３及び上端部３４は、例えば、端、縁、又は部分とも称され得る。
【００１５】
なお、本明細書において、前、後及び背、上、及び下のような方向を示す表現は、図１に示すポータブルコンピュータ１０の状態（クラムシェルモード）を基準とする。このため、例えば、前面３１がユーザ側にあるとは限らず、下端部２７がユーザから見て下方に位置するとは限らない。
【００１６】
前面３１は、略平坦な矩形（四角形）状に形成される。前面３１は、例えば、ベゼル（枠）を覆う透明なガラス板によって形成される。当該ベゼルに、ディスプレイ開口３６が形成される。ディスプレイ開口３６は、略矩形の孔である。ディスプレイ開口３６は、前記ガラス板によって塞がれる。背面３２は、前面３１の反対側に位置する。
【００１７】
下端部３３は、前面３１の下方の縁及び背面３２の下方の縁の間に位置する第１の筐体２１の端面を含む。当該端面は、前面３１及び背面３２に対して交差する。上端部３４は、下端部３３の反対側に位置する。上端部３４は、前面３１の上方の縁及び背面３２の上方の縁の間に位置する第１の筐体２１の端面を含む。当該端面は、前面３１及び背面３２に対して交差する。
【００１８】
ディスプレイモジュール２２は、例えば、静電容量方式のインセル型タッチパネルである。なお、ディスプレイモジュール２２はこれに限らず、例えば、タッチパネルが取り付けられた液晶ディスプレイ（ＬＣＤ）又は有機エレクトロルミネセンス（ＯＥＬ）ディスプレイのような、画像を表示する他の部品であっても良い。
【００１９】
ディスプレイモジュール２２は、第１の筐体２１に収容される。ディスプレイモジュール２２は、スクリーン２２ａを有する。スクリーン２２ａは、表示部の一例であり、表示面又は部分とも称され得る。スクリーン２２ａは、ディスプレイ開口３６及び前記ガラス板を通して第１の筐体２１の外部に露出され、画像を表示する。すなわち、ディスプレイモジュール２２のスクリーン２２ａは、前面３１において画像を表示する。本明細書において、画像は、静止画、動画、及び単色の画面を含む。
【００２０】
ディスプレイモジュール２２は、例えば、スクリーン２２ａ又はディスプレイ開口３６を覆う前記ガラス板に触れられたユーザの指を検知する。ディスプレイモジュール２２は、ポータブルコンピュータ１０に情報を入力するために当該ユーザの指によって操作される。すなわち、ディスプレイモジュール２２は、表示装置であるとともに入力装置でもある。
【００２１】
第１のバッテリ２３は、第１の筐体２１に収容される。第１のバッテリ２３は、例えば、リチウムイオン二次電池である。なお、第１のバッテリ２３は他の種類の電池であっても良い。第１のバッテリ２３は、ポータブルコンピュータ１０の電源である。
【００２２】
ベース部１２は、ベースユニット４１と、キーボードモジュール４２とを有する。ベースユニット４１は、連結部の一例であり、例えば、結合部、ドッキング部、回動部、支持部、部分、又は部品とも称され得る。キーボードモジュール４２は、入力部の一例であり、例えば、結合部、ドッキング部、脱着部、部分、又は部品とも称され得る。
【００２３】
ベースユニット４１は、第２の筐体５１と、パワーボタン５２とを有する。第２の筐体５１は、例えば、外装部、部材、又は壁とも称され得る。パワーボタン５２は、起動部の一例であり、例えば、ボタン又は操作部とも称され得る。
【００２４】
第２の筐体５１は、扁平な略直方体の箱型に形成される。第２の筐体５１は、基本的に、例えばマグネシウム合金によって形成される。なお、第２の筐体５１は、他の材料によって形成されても良い。
【００２５】
第２の筐体５１は、第１の上面５４と、第１の下面５５と、第１の後端部５６と、第１の前端部５７と、二つの第１の側面５８と、を有する。第１の下面５５は、第５の面の一例である。第１の後端部５６は、第３の端部の一例である。第１の前端部５７は、第４の端部の一例である。第１の後端部５６及び第１の前端部５７は、例えば、端、縁、又は部分とも称され得る。
【００２６】
第１の上面５４は、略平坦な矩形状に形成される。第１の上面５４に、複数の孔６１が設けられる。ベースユニット４１は、第２の筐体５１に収容されるとともに、複数の孔６１を通して音を発するスピーカをさらに有する。
【００２７】
第１の下面５５は、第１の上面５４の反対側に位置する。第１の下面５５に複数の第１の脚６２が設けられる。第１の脚６２は、例えば、第１の下面５５から突出する合成ゴム製の突起である。第１の脚６２は、図３に示すように、ポータブルコンピュータ１０が載置される載置面Ｓに接し、ベースユニット４１を支持する。載置面Ｓは、例えば机の上面である。
【００２８】
第１の下面５５に、複数の吸気口６３が設けられる。吸気口６３は、第１の通気口の一例であり、例えば、孔又は開口とも称され得る。吸気口６３は、第２の筐体５１の内部に通じる。
【００２９】
第１の後端部５６は、第１の上面５４の後方の縁及び第１の下面５５の後方の縁の間に位置する第２の筐体５１の端面を含む。当該端面は、第１の上面５４及び第１の下面５５に対して交差する。
【００３０】
第１の後端部５６に、複数の排気口６４が設けられる。排気口６４は、第２の通気口の一例であり、例えば、孔、開口、又はスリットとも称され得る。排気口６４は、第２の筐体５１の内部に通じる。
【００３１】
第１の前端部５７は、第１の後端部５６の反対側に位置する。第１の前端部５７は、第１の上面５４の前方の縁及び第１の下面５５の前方の縁の間に位置する第２の筐体５１の端面を含む。当該端面は、第１の上面５４及び第１の下面５５に対して交差する。
【００３２】
二つの第１の側面５８は、第１の上面５４の右方及び左方の縁と、第１の下面５５の右方及び左方の縁と、の間にそれぞれ位置する。第１の側面５８は、第２の筐体５１の厚さ方向（Ｚ軸に沿う方向）における第１の上面５４と第１の下面５５との間の中央を基準とした線対称形状に形成される。第１の側面５８は、例えば円弧状の曲面である。
【００３３】
起動ボタン５２は、一方の第１の側面５８に設けられる。起動ボタン５２がユーザに操作されると、ポータブルコンピュータ１０が起動する。なお、ポータブルコンピュータ１０の起動は、ポータブルコンピュータ１０が作動すること（電源オン）に限らず、例えばポータブルコンピュータ１０の休止状態からの回復を含む。
【００３４】
キーボードモジュール４２は、第３の筐体７１と、キーボード７２と、ポインティングスティック７３と、ボタン７４と、イジェクトレバー７５とを有する。キーボード７２、ポインティングスティック７３、及びボタン７４は、操作部の一例であり、例えば入力部、入力装置、又はインターフェースとも称され得る。イジェクトレバー７５は、解除部の一例であり、例えば、スライド部又は操作部とも称され得る。
【００３５】
第３の筐体７１は、扁平な略直方体の箱型に形成される。第３の筐体７１は、基本的に、例えばマグネシウム合金によって形成される。なお、第３の筐体７１は、他の材料によって形成されても良い。
【００３６】
第３の筐体７１は、第２の上面８１と、第２の下面８２と、第２の後端部８３と、第２の前端部８４と、二つの第２の側面８５とを有する。第２の上面８１は、第３の面の一例である。第２の下面８２は、第４の面の一例である。第２の後端部８３は、第５の端部の一例である。第２の前端部８４は、第６の端部の一例である。第２の後端部８３及び第２の前端部８４は、例えば、端、縁、又は部分とも称され得る。
【００３７】
第２の上面８１は、窪み８１ａを有する矩形状に形成される。第２の上面８１に、キーボード７２、ポインティングスティック７３、ボタン７４、及びイジェクトレバー７５が設けられる。
【００３８】
キーボード７２及びポインティングスティック７３は、窪み８１ａに位置する。キーボード７２、ポインティングスティック７３、及びボタン７４は、ポータブルコンピュータ１０に情報を入力するためにユーザに操作される。イジェクトレバー７５は、キーボード７２とボタン７４との間に位置する。
【００３９】
第２の下面８２は、第２の上面８１の反対側に位置する。第２の下面８２に、複数の第２の脚８７が設けられる。第２の脚８７は、例えば、第２の下面８２から突出する合成ゴム製の突起である。第２の脚８７は、図３に示すように、ポータブルコンピュータ１０が載置される載置面Ｓに接し、キーボードモジュール４２を支持する。
【００４０】
第２の後端部８３は、第２の上面８１の後方の縁及び第２の下面８２の後方の縁の間に位置する第２の筐体５１の端面を含む。当該端面は、第２の上面８１及び第２の下面８２に対して交差する。
【００４１】
第２の前端部８４は、第２の後端部８３の反対側に位置する。第２の前端部８４は、第２の上面８１の前方の縁及び第２の下面８２の前方の縁の間に位置する第２の筐体５１の端面を含む。当該端面は、第２の上面８１及び第２の下面８２に対して交差する。ボタン７４は、第２の前端部８４に隣接する。
【００４２】
第２の前端部８４に、複数の第３の脚８８が設けられる。第３の脚８８は、例えば、第２の上面８１、第２の下面８２、及び第２の前端部８４の前記端面から突出する合成ゴム製の突起である。第３の脚８８は、図３に示すように、ポータブルコンピュータ１０が載置される載置面Ｓに接し、キーボードモジュール４２を支持する。
【００４３】
二つの第２の側面８５は、第２の上面８１の右方及び左方の縁と、第２の下面８２の右方及び左方の縁と、の間にそれぞれ位置する。第２の側面８５は、第２の筐体７１の厚さ方向（Ｚ軸に沿う方向）における第２の上面８１と第２の下面８２との中央を基準とした線対称形状に形成される。第２の側面８５は、例えば、第１の側面５８と同じ極率半径を有する円弧状の曲面である。
【００４４】
図４は、第１の筐体２１、第２の筐体５１、及び第３の筐体７１の一部を除いて示すポータブルコンピュータ１０の斜視図である。図４に示すように、ベースユニット４１は、基板９１と、第１の通信部９２と、冷却部９３と、複数の入出力部品９４とをさらに有する。基板９１は、モジュールの一例であり、例えば部品とも称され得る。
【００４５】
基板９１、第１の通信部９２、冷却部９３、及び入出力部品９４は、第２の筐体５１に収容される。なお、基板９１、第１の通信部９２、冷却部９３、及び入出力部品９４は、例えばディスプレイ部１１の第１の筐体２１に収容されても良い。
【００４６】
基板９１は、例えばプリント回路板（ＰＣＢ）である。なお、基板９１はフレキシブルプリント配線板（ＦＰＣ）のような他の基板でも良く、さらに、モジュールは他の部品であっても良い。基板９１に、中央演算処理装置（ＣＰＵ）及びメモリのような種々の電子部品が実装される。
【００４７】
第１の通信部９２は、例えば、近距離無線通信を行なう。第１の通信部９２は、例えば、種々の電子部品が実装された回路基板とアンテナとを有する。第１の通信部９２は、基板９１に電気的に接続され、例えば前記ＣＰＵに対して電気信号の送受信を行なう。
【００４８】
第２の筐体５１は、第１の通信部９２の前記アンテナを覆うアンテナカバー５１ａを有する。アンテナカバー５１ａは、例えば合成樹脂のような絶縁材料によって形成された、第２の筐体５１の一部である。前記アンテナは、アンテナカバー５１ａを通して電波の送受信を行なう。アンテナカバー５１ａの一部は、第１の上面５４及び第１の下面５５から突出する。
【００４９】
冷却部９３は、例えば遠心ファンである。冷却部９３は、例えば、前記ＣＰＵにヒートパイプによって熱的に接続される。冷却部９３は、吸気口６３に対応する位置にある。冷却部９３は、吸気口６３を通じて第３の筐体７１の外部の空気を吸引し、排気口６４から空気を排出する。これにより、冷却部９３は、前記ＣＰＵ及び第２の筐体５１の内部を冷却する。なお、冷却部９３は、排気口６４から外気を吸引し、吸気口６３から空気を排出しても良い。
【００５０】
入出力部品９４は、基板９１に実装される。入出力部品９４は、例えば、ＵＳＢコネクタ、ＬＡＮコネクタ、ＲＧＢコネクタ、オーディオ端子、電源コネクタ、及びメモリーカードコネクタである。入出力部品９４は、第１の側面５８に設けられた開口によって、第２の筐体５１の外部に露出される。
【００５１】
キーボードモジュール４２は、第２の通信部９７と、第２のバッテリ９８とをさらに有する。第２のバッテリ９８は、バッテリの一例であり、例えば、電源、充放電部、又は給電部とも称され得る。第２の通信部９７及び第２のバッテリ９８は、第３の筐体７１に収容される。
【００５２】
第２の通信部９７は、例えば、第１の通信部９２に対して近距離無線通信を行なう。第２の通信部９７は、例えば、種々の電子部品が実装された回路基板とアンテナとを有する。第２の通信部９７は、キーボード７２、ポインティングスティック７３、及びボタン７４から電気信号を受け付ける。
【００５３】
キーボードモジュール４２は、第１の通信部９２と第２の通信部９７とを介して、例えば基板９１の前記ＣＰＵに情報を入力する。例えば、第２の通信部９７は、ユーザによってキーボード７２に入力された情報を、近距離無線通信によって第１の通信部９２に送信する。第１の通信部９２は、受信した当該情報を基板９１の前記ＣＰＵに入力する。なお、第１の通信部９２と第２の通信部９７とは、近距離無線通信に限らず、赤外線のような他の方法によって通信しても良い。
【００５４】
第２のバッテリ９８は、例えば、リチウムイオン二次電池である。なお、第２のバッテリ９８は他の種類の電池であっても良い。第２のバッテリ９８は、キーボードモジュール４２の電源である。
【００５５】
図５は、ディスプレイ部１１の一部及びベースユニット４１を示す斜視図である。図５に示すように、第１の前端部５７に、二つの凸部１０１と、第１の端子１０２とが設けられる。凸部１０１は、第１の嵌合部の一例であり、例えば、挿入部、支持部、又は補強部とも称され得る。
【００５６】
凸部１０１は、Ｘ軸に沿う方向に延びる略矩形の板状に形成される。凸部１０１は、第２の筐体５１の一部であり、第２の筐体５１と同じくマグネシウム合金によって形成される。なお、凸部１０１は、第２の筐体５１と異なる材料によって形成されても良い。凸部１０１は、第１の前端部５７の前記端面から、Ｙ軸に沿う方向に突出する。二つの凸部１０１は、Ｘ軸に沿う方向に並ぶ。
【００５７】
二つの凸部１０１は、切欠き１０４をそれぞれ有する。切欠き１０４は、第１の係合部の一例であり、例えば、凹部、窪み、又は引っ掛かり部とも称され得る。切欠き１０４は、凸部１０１の側端部１０１ａに設けられる。側端部１０１ａは、Ｘ軸に沿う方向における凸部１０１の端部であり、他方の凸部１０１の反対側に向く。
【００５８】
第１の端子１０２は、第１の前端部５７の前記端面に配置される。第１の端子１０２は、例えば交互に配置された複数の正極及び負極を有する。第１の端子１０２は、第１のバッテリ２３及び基板９１に電気的に接続される。
【００５９】
第１の端子１０２は、二つの凸部１０１の間に位置する。第１の端子１０２は、Ｘ軸に沿う方向における第１の前端部５７の中央（二つの第１の側面５８の間の中央）から、右方又は左方に偏って配置される。
【００６０】
図６は、キーボードモジュール４２を示す背面図である。図６に示すように、第２の後端部８３に、二つの凹部１０６と、第２の端子１０７とが設けられる。凹部１０６は、第２の嵌合部の一例であり、例えば、開口、孔、スリット、又は窪みとも称され得る。
【００６１】
二つの凹部１０６は、Ｘ軸に沿う方向に延びる略矩形の開口である。凹部１０６は、第２の後端部８３に位置する。二つの凹部１０６は、凸部１０１に対応して配置され、Ｘ軸に沿う方向に並ぶ。
【００６２】
二つの凹部１０６に、フック１０９がそれぞれ設けられる。フック１０９は、第２の係合部の一例であり、例えば、引掛け部、嵌り部、固定部、又は取付部とも称され得る。フック１０９は、切欠き１０４に対応する位置で、凹部１０６の内面からＸ軸に沿う方向に突出する。フック１０９は、凹部１０６の前記内面から引っ込むように移動可能である。
【００６３】
第２の端子１０７は、第２の後端部８３の前記端面に配置される。第２の端子１０７は、例えば交互に配置された複数の正極及び負極を有する。第２の端子１０７は、第２のバッテリ９８に電気的に接続される。
【００６４】
第２の端子１０７は、二つの凹部１０６の間に位置する。第２の端子１０７は、Ｘ軸に沿う方向における第２の後端部８３の中央（二つの第２の側面８５の間の中央）から、右方又は左方に偏って配置される。
【００６５】
図１に示すように、キーボードモジュール４２の第２の後端部８３は、ベースユニット４１の第１の前端部５７に、取り外し可能に結合される。すなわち、キーボードモジュール４２は、第１の後端部５６から第１の前端部５７に向かう方向（Ｙ軸に沿う方向）においてベースユニット４１と並ぶように、ベースユニット４１に結合される。
【００６６】
キーボードモジュール４２がベースユニット４１に結合されるとき、凸部１０１は、凹部１０６に嵌り込む。凸部１０１が凹部１０６に嵌ることで、キーボードモジュール４２は、ベースユニット４１に支持される。
【００６７】
凸部１０１が凹部１０６に嵌り込むと、凹部１０６のフック１０９が、凸部１０１の切欠き１０４に引っ掛かる。フック１０９が切欠き１０４に引っ掛かることにより、キーボードモジュール４２は、ベースユニット４１から取り外されることを制限される。
【００６８】
二つのフック１０９は、例えば複数のリンクを介して、イジェクトレバー７５に接続される。イジェクトレバー７５がユーザによって操作されると、フック１０９は、切欠き１０４から外れる。言い換えると、イジェクトレバー７５は、フック１０９を操作する。
【００６９】
キーボードモジュール４２がベースユニット４１に結合すると、第１の端子１０２は、第２の端子１０７に電気的に接続される。第２のバッテリ９８は、互いに電気的に接続された第１及び第２の端子１０２，１０７を介して充電される。例えば、ベースユニット４１の前記電源コネクタにコンセントから供給された電力が、第１及び第２の端子１０２，１０７を介して第２のバッテリ９８に供給される。また、第１のバッテリ２３の電力が、ベースユニット４１と、第１及び第２の端子１０２，１０７とを介して、第２のバッテリ９８に供給される。
【００７０】
ヒンジ部１３は、ディスプレイ部１１の下端部３３と、ベースユニット４１の第１の後端部５６とを結合する。ヒンジ部１３の一方の端部は、ディスプレイ部１１の第１の筐体２１の下端部３３に、回動可能に結合される。ヒンジ部１３の他方の端部は、ベースユニット４１の第２の筐体５１の第１の後端部５６に、回動可能に結合される。二つのヒンジ部１３の間に、第２の筐体５１のアンテナカバー５１ａが位置する。
【００７１】
ヒンジ部１３は、ディスプレイ部１１の第１の筐体２１の、前面３１から垂直に突出する位置と、背面３２から垂直に突出する位置と、の間で１８０度回動可能である。さらに、ヒンジ部１３は、ベースユニット４１の第２の筐体５１の、第１の上面５４から垂直に突出する位置と、第１の下面５５から垂直に突出する位置と、の間で１８０度回動可能である。すなわち、ヒンジ部１３は、ベースユニット４１を、３６０度回動可能にディスプレイ部１１に結合する。
【００７２】
図７は、ベースユニット４１が図３に実践で示す位置から約３６０度回動した状態（タブレットモード）の、ポータブルコンピュータ１０の一部を示す側面図である。ヒンジ部１３は、ベースユニット４１を、図３に実線で示す第１の位置Ｐ１と、図７に示す第２の位置Ｐ２との間で回動させる。第１の位置Ｐ１は、閉じ位置とも称され得る。第２の位置Ｐ２は、反転位置とも称され得る。
【００７３】
図３に示すように、ベースユニット４１が第１の位置Ｐ１に位置するとき、ベース部１２は、第１の筐体２１の前面３１を覆う。このため、ベース部１２は、ディスプレイモジュール２２のスクリーン２２ａを覆う。ベースユニット４１が第１の位置Ｐ１に位置するとき、第２の筐体５１の第１の上面５４及び第３の筐体７１の第２の上面８１は、第１の筐体２１の前面３１に対向する。
【００７４】
ディスプレイ部１１の下端部３３と上端部３４との間の距離は、ベースユニット４１の第１の後端部５６と第１の前端部５７との間の距離よりも長い。さらに、ディスプレイ部１１の下端部３３と上端部３４との間の距離は、ベースユニット４１の第１の後端部５６と、キーボードモジュール４２の第２の前端部８４との間の距離に実質的に等しい。
【００７５】
キーボードモジュール４２がベースユニット４１から取り外された状態で、ディスプレイモジュール２２のスクリーン２２ａは、第１の位置Ｐ１に位置するベースユニット４１に部分的に覆われる。さらに、ディスプレイモジュール２２のスクリーン２２ａは、部分的に露出される。
【００７６】
図７に示すように、ベースユニット４１が第２の位置Ｐ２に位置するとき、ベース部１２は、第１の筐体２１の背面３２を覆う。ベースユニット４１が第２の位置Ｐ２に位置するとき、第２の筐体５１の第１の下面５５は、第１の筐体２１の背面３２に対向する。さらに、ディスプレイモジュール２２のスクリーン２２ａは、完全に露出される。
【００７７】
ベースユニット４１が第２の位置Ｐ２に位置するとき、第１及び第３の脚６２，８８が、第１の筐体２１の背面３２に当接する。このため、ディスプレイ部１１とベース部１２との間に隙間Ｇが形成される。
【００７８】
吸気口６３は、第１の筐体２１の背面３２と、第２の筐体５１の第１の下面５５との間の隙間Ｇに面する。すなわち、吸気口６３は、第１の筐体２１によって塞がれずに開放される。冷却部９３は、吸気口６３から、隙間Ｇの空気を吸引する。
【００７９】
図１に示す前記クラムシェルモードにおけるキーボードモジュール４２は、第１の向きＤ１でベースユニット４１に結合される。ベースユニット４１が第１の位置Ｐ１にあるとともに、キーボードモジュール４２が第１の向きＤ１にあるとき、第３の筐体７１の第２の上面８１は、第１の筐体２１の前面３１に対向する。
【００８０】
図７に示す前記タブレットモードにおけるキーボードモジュール４２は、第２の向きＤ２でベースユニット４１に結合される。第２の向きＤ２は、第１の向きＤ１の逆向きである。ベースユニット４１が第２の位置Ｐ２にあるとともに、キーボードモジュール４２が第２の向きＤ２にあるとき、第３の筐体７１の第２の上面８１は、第１の筐体２１の背面３２に対向する。
【００８１】
上述のように、キーボードモジュール４２は、第１の向きＤ１又は第２の向きＤ２で、ベースユニット４１に結合される。キーボードモジュール４２が第１の向きＤ１及び第２の向きＤ２のいずれの向きでベースユニット４１に結合されても、凸部１０１が凹部１０６に嵌り込むとともに、フック１０９が切欠き１０４に引っ掛かる。
【００８２】
キーボードモジュール４２が第１の向きＤ１でベースユニット４１に結合すると、一方の第１の側面５８は、一方の第２の側面８５に連続する。キーボードモジュール４２が第２の向きＤ２でベースユニット４１に結合すると、前記一方の第１の側面５８は、他方の第２の側面８５に連続する。すなわち、第２の側面８５は、キーボードモジュール４２が第１向きＤ１及び第２の向きＤ２のいずれの向きでベースユニット４１に結合されても、第１の側面５８に連続する。
【００８３】
キーボードモジュール４２が第１の向きＤ１でベースユニット４１に結合すると、第１の端子１０２は、第２の端子１０７に面するとともに電気的に接続する。一方、キーボードモジュール４２が第２の向きＤ２でベースユニット４１に結合すると、第１の端子１０２は、第３の筐体７１の第２の後端部８３に面する。すなわち、第１の端子１０１と第２の端子１０７との間の電気的接続は解除される。
【００８４】
キーボードモジュール４２が第２の向きＤ２でベースユニット４１に結合したとき、第１及び第２の端子１０２，１０７は、他の部材に触れない。なお、第１及び第２の端子１０２，１０７は、絶縁部材に接触しても良い。
【００８５】
図８は、キーボードモジュール４２が取り外されるとともに、ベースユニット４１がディスプレイ部１１を支持する状態（セパレートモード）の、ポータブルコンピュータ１０を示す側面図である。図８に示すように、キーボードモジュール４２は、ベースユニット４１から取り外された状態で利用されることが可能である。
【００８６】
前記セパレートモードにおけるベースユニット４１は、第２の位置Ｐ２と、図８に二点鎖線で示す第３の位置Ｐ３との間に位置する。第３の位置Ｐ３は、第１の位置Ｐ１と第２の位置Ｐ２との間にある。ベースユニット４１が第３の位置Ｐ３に位置するとき、第１の筐体２１の下端部３３と、第２の筐体５１の第１の後端部５６とが対向する。
【００８７】
前記セパレートモードにおいて、第２の筐体５１の第１の上面５４が、載置面Ｓに接する。これにより、ベースユニット４１は、ディスプレイ部１１を支持する。ヒンジ部１３は、ディスプレイ部１１が自重によって回動することを制限する。
【００８８】
図９は、キーボードモジュール４２が取り外されるとともに、ベースユニット４１とディスプレイ部１１とによって支持される状態（テントモード）の、ポータブルコンピュータ１０を示す側面図である。
【００８９】
前記テントモードにおけるベースユニット４１は、第２の位置Ｐ２と第３の位置Ｐ３との間に位置する。第１の筐体２１の上端部３４が、載置面Ｓに接する。さらに、第２の筐体５１の第１の前端部５７に設けられた凸部１０１が、載置面Ｓに接する。すなわち、ディスプレイ部１１の上端部３４と、ベースユニット４１の凸部１０１とが、ポータブルコンピュータ１０を支持する。前記テントモードにおけるディスプレイ部１１の載置面Ｓに対する傾きは、前記セパレートモードにおけるディスプレイ部１１の載置面Ｓに対する傾きよりも浅い。
【００９０】
前記テントモードにおいて、下端部３３がディスプレイモジュール２２の上方に位置し、上端部３４がディスプレイモジュール２２の下方に位置する。基板９１の前記ＣＰＵは、例えば加速度センサによってポータブルコンピュータ１０が前記テントモードであることを検知する。前記テントモードにおいて、ディスプレイモジュール２２のスクリーン２２ａは、画像の下方に上端部３４が位置し、当該画像の上方に下端部３３が位置する向きで、画像を表示する。
【００９１】
一方、例えば前記クラムシェルモードにおいて、下端部３３がディスプレイモジュール２２の下方に位置し、上端部３４がディスプレイモジュール２２の上方に位置する。基板９１の前記ＣＰＵは、ポータブルコンピュータ１０が前記クラムシェルモードであることを検知する。前記クラムシェルモードにおいて、ディスプレイモジュール２２のスクリーン２２ａは、画像の上方に上端部３４が位置し、当該画像の下方に下端部３３が位置する向きで、画像を表示する。
【００９２】
ディスプレイモジュール２２が表示する画像の向きは、例えばユーザがポータブルコンピュータ１０を操作することによって変えられても良い。さらに、基板９１の前記ＣＰＵは、例えばヒンジ部１３が回動した角度によって、ポータブルコンピュータ１０が例えば前記テントモードであることを検知しても良い。
【００９３】
上記実施の形態に係るポータブルコンピュータ１０において、ベースユニット４１は、ヒンジ部１３によって移動可能にディスプレイ部１１に結合される。当該ベースユニット４１の第１の前端部５７に、キーボードモジュール４２の第２の後端部８３が取り外し可能に結合される。このため、キーボードモジュール４２は、ベースユニット４１から取り外された状態で使用されることができる。これにより、ポータブルコンピュータ１０が複数の様態で使用されることができる。
【００９４】
キーボードモジュール４２がベースユニット４１から取り外された状態で、ディスプレイモジュール２２のスクリーン２２ａは、第１の位置Ｐ１に位置するベースユニット４１に部分的に覆われるとともに、部分的に露出される。すなわち、ベースユニット４１の第１の後端部５６と第１の前端部５７との間の距離が、ディスプレイ部１１の下端部３３と上端部３４との間の距離よりも短い。このため、キーボードモジュール４２が取り外されたポータブルコンピュータ１０を小型にできる。
【００９５】
キーボードモジュール４２は、第１の向きＤ１と、第２の向きＤ２と、でベースユニット４１に結合される。このため、例えば、ポータブルコンピュータ１０が前記タブレットモードで使用されるときに、キーボードモジュール４２が第２の向きＤ２でベースユニット４１に結合されると、キーボード７２がディスプレイ部１１に隠される。これにより、キーボード７２が誤操作されることが抑制される。キーボード７２は、第２の上面８１の窪み８１ａに設けられるため、ディスプレイ部１１に押されることが抑制される。
【００９６】
第２の端子１０７は、キーボードモジュール４２が第１の向きＤ１でベースユニット４１に結合されたときに、第１の端子１０２に電気的に接続される。これにより、キーボードモジュール４２がベースユニット４１に結合されるだけで、第１の端子１０２と第２の端子１０７との間で容易に電気的接続を生じることができる。
【００９７】
第１の端子１０２は、キーボードモジュール４２が第２の向きＤ２でベースユニット４１に結合された場合に、第２の端子１０７との間の電気的接続が解除される。これにより、第１の端子１０２と第２の端子１０７とが、例えば正極と正極とが接続されるような不適切な接続をされることが抑制される。
【００９８】
キーボードモジュール４２が第２のバッテリ９８を有し、第２のバッテリ９８は、第１及び第２の端子１０２，１０７を介して、ベースユニット４１によって充電される。これにより、キーボードモジュール４２は、外部から給電を受けることなく使用可能であり、ベースユニット４１に結合されるだけで充電されることができる。
【００９９】
キーボードモジュール４２の第２の側面８５は、キーボードモジュール４２が第１の向きＤ１及び第２の向きＤ２のいずれでベースユニット４１に結合された場合でも、ベースユニット４１の第１の側面５８に連続する。これにより、キーボードモジュール４２を第１の向きＤ１と第２の向きＤ２とでベースユニット４１に付け替えることによる、ポータブルコンピュータ１０の美観の低下が抑制される。
【０１００】
パワーボタン５２が、第１の側面５８に設けられる。これにより、ベースユニット４１が第１の位置Ｐ１及び第２の位置Ｐ２のいずれにあったとしても、パワーボタン５２がディスプレイ部１１に覆われずに露出される。これにより、ポータブルコンピュータ１０が容易に起動される。
【０１０１】
ベースユニット４１及びキーボードモジュール４２にそれぞれ設けられた凸部１０１及び凹部１０６が嵌り合うことで、キーボードモジュール４２がベースユニット４１に支持される。これにより、ベースユニット４１に結合されたキーボードモジュール４２が、ベースユニット４１から外れることが抑制される。
【０１０２】
凸部１０１及び凹部１０６にそれぞれ設けられた切欠き１０４及びフック１０９が掛かり合うことで、キーボードモジュール４２がベースユニット４１から取り外されることが制限される。これにより、ベースユニット４１に結合されたキーボードモジュール４２が、不用意にベースユニット４１から取り外されることが抑制される。
【０１０３】
キーボードモジュール４２に、切欠き１０４とフック１０９との掛かり合いを解除するイジェクトレバー７５が設けられる。すなわち、イジェクトレバー７５は、ユーザが操作するキーボード７２の近くに位置する。これにより、ユーザがベースユニット４１からキーボードモジュール４２を容易に取り外すことができる。
【０１０４】
ベースユニット４１の第１の前端部５７に凸部１０１が設けられる。前記テントモードにおいて、凸部１０１と、ディスプレイ部１１の上端部３４とが、ポータブルコンピュータ１０を支持する。凸部１０１が第１の前端部５７に設けられることで、ベースユニット４１の他の部分が載置面Ｓに当たることが抑制される。さらに、凸部１０１によって、ディスプレイ部１１の載置面Ｓに対する傾斜を大きくすることができる。
【０１０５】
吸気口６３が、ベースユニット４１の第１の下面５５に設けられる。このため、例えば、ポータブルコンピュータ１０が前記クラムシェルモードで使用されるとき、吸気口６３が隠れる。これにより、ポータブルコンピュータ１０の美観及び操作の快適性の低下が抑制される。
【０１０６】
ベースユニット４１が第２の位置Ｐ２にあるとき、ディスプレイ部１１の背面３２と、ベースユニット４１の第１の下面５５との間に隙間Ｇが形成される。すなわち、吸気口６３とディスプレイ部１１との間に隙間Ｇが形成される。このため、吸気口６３が塞がれず、ポータブルコンピュータ１０の冷却性能の低下が抑制される。
【０１０７】
排気口６４が、ベースユニット４１の第１の後端部５６に設けられる。第１の後端部５６は、ベースユニット４１が第１の位置Ｐ１及び第２の位置Ｐ２にあるとき、塞がれずに露出される。このため、冷却部９３は第２の筐体５１の内部の、例えば基板９１を容易に冷却できる。
【０１０８】
キーボードモジュール４２は、第１及び第２の通信部９２，９７を介して、基板９１の前記ＣＰＵに情報を入力する。すなわち、キーボードモジュール４２は無線通信を行なう。これにより、ベースユニット４１から取り外されたキーボードモジュール４２が、容易に使用できる。
【０１０９】
ディスプレイモジュール２２のスクリーン２２ａは、画像の下方に下端部３３が位置する向きと、画像の下方に上端部３４が位置する向きと、で画像を表示できる。このため、例えば、ポータブルコンピュータ１０が前記クラムシェルモードで使用される場合と、ポータブルコンピュータ１０が前記テントモードで使用される場合とで、ディスプレイモジュール２２は適切な向きの画像を表示できる。
【０１１０】
以上説明した少なくとも一つの実施形態によれば、入力部の第５の端部が、ヒンジ部によって第１の部分に移動可能に連結された連結部の第４の端部に、取り外し可能に結合される。これにより、電子機器が複数の様態で使用されることができる。
【０１１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015092942.tif 000003
【図２】
2015092942.tif 000004
【図３】
2015092942.tif 000005
【図５】
2015092942.tif 000006
【図６】
2015092942.tif 000007
【図７】
2015092942.tif 000008
【図８】
2015092942.tif 000009
【図９】
2015092942.tif 000010
【図４】
2015092942.tif 000011
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
第１の面と、前記第１の面の反対側に位置する第２の面と、前記第１の面と前記第２の面との間に位置する第１の端部と、前記第１の端部の反対側に位置する第２の端部と、前記第１の面に設けられるとともに画像を表示する表示部と、を有する表示筐体と、
前記表示筐体の前記第１の端部とヒンジ部を介して結合する第３の端部、及び前記第３の端部の反対側に位置する第４の端部を有する第１ベース筐体と、
前記第１ベース筐体の前記第４の端部に取り外し可能に結合された第５の端部と、入力部を有する第３の面と、前記第３の面の反対側に位置する第４の面と、を有する第２ベース筐体と、
を具備し、
前記第１ベース筐体の前記第４の端部と前記第２ベース筐体の前記第５の端部とが結合された状態であるとき、前記ヒンジ部は、前記第２ベース筐体の前記第３の面と前記表示筐体の前記第１の面とが対向して前記入力部を前記表示部が覆う第１の位置と、前記第２ベース筐体の前記第４の面と前記表示筐体の前記第２の面とが対向して前記表示部が露出する第２の位置と、の間で移動可能に回動し、
前記第１ベース筐体の前記第４の端部と前記第２ベース筐体の前記第５の端部との結合が外れた状態であるとき、前記第１の位置からの前記ヒンジ部の回動角度が１８０度以上の状態で、前記第２ベース筐体の第５の端部と前記第１ベース筐体の前記第３の端部とが近接する第３の位置、又は前記第２ベース筐体の前記第５の端部と前記表示筐体の前記第２の端部とが近接する第４の位置に前記表示筐体を配置可能な、
電子機器。
【請求項２】
前記第１ベース筐体は、前記第４の端部に設けられた第１の端子を有し、
前記第２ベース筐体は、前記第５の端部に設けられた第２の端子を有し、
前記第１ベース筐体の前記第４の端部と前記第２ベース筐体の前記第５の端部とが結合された状態であるとき、前記第１の端子と前記第２の端子とは電気的に接続され、前記第１ベース筐体の前記第４の端部と前記第２ベース筐体の前記第５の端部との結合が外れた状態であるとき、前記第１の端子と前記第２の端子との間の電気的接続が解除される、
請求項１の電子機器。
【請求項３】
前記第２ベース筐体はバッテリを有し、
前記第２ベース筐体に結合された前記第１ベース筐体は、互いに電気的に接続された前記第１の端子と前記第２の端子とを介して、前記バッテリを充電する、
請求項２の電子機器。
【請求項４】
前記第１ベース筐体の前記第４の端部に設けられた第１の嵌合部と、
前記第２ベース筐体の前記第５の端部に設けられるとともに前記第１の嵌合部と嵌り合う第２の嵌合部と、
前記第１の嵌合部に設けられた第１の係合部と、
前記第２の嵌合部に設けられるとともに前記第１の係合部に引っ掛かることで前記第２ベース筐体が前記第１ベース筐体から取り外されることを制限する第２の係合部と、
をさらに具備する請求項１の電子機器。
【請求項５】
前記第１の嵌合部は凸部を有し、
前記第２の嵌合部は前記凸部が嵌り込む凹部を有し、
前記第２ベース筐体が前記第１ベース筐体から外された状態で、前記凸部と前記表示筐体の前記第２の端部とによって支持されることが可能な、請求項４の電子機器。
【請求項６】
前記第１ベース筐体は、前記第１ベース筐体が前記第２の位置にあるときに前記表示筐体の前記第２の面に対向する第５の面に第１の通気口が設けられた、請求項１の電子機器。
【請求項７】
前記第１ベース筐体が前記第２の位置にあるとき、前記表示筐体の前記第２の面と前記第１ベース筐体の前記第５の面との間に隙間が形成される、請求項６の電子機器。
【請求項８】
前記第１ベース筐体は、前記第３の端部に設けられた第２の通気口と、前記第１の通気口及び前記第２の通気口のいずれか一方から外気を吸引するとともに、前記第２の通気口及び前記第１の通気口のいずれか他方から空気を排出する冷却部と、を有する、請求項６の電子機器。
【請求項９】
前記表示筐体又は前記第１ベース筐体に設けられたモジュールと、
前記表示筐体又は前記第１ベース筐体に設けられた第１の通信部と、
前記第２ベース筐体に設けられて前記第１の通信部との間で無線通信を行なう第２の通信部と、
をさらに具備し、
前記第２ベース筐体は、前記第１の通信部と前記第２の通信部とを介して、前記モジュールに情報を入力する、
請求項１の電子機器。
【請求項１０】
前記表示筐体の前記表示部は、前記画像の下方に前記第１の端部が位置する向きと、前記画像の下方に前記第２の端部が位置する向きと、で前記画像を表示可能である、請求項１の電子機器。
【手続補正２】
【補正対象書類名】明細書
【補正対象項目名】０００５
【補正方法】変更
【補正の内容】
【０００５】
一つの実施の形態に係る電子機器は、表示筐体と、第１のベース筐体と、第２のベース筐体とを備える。前記表示筐体は、第１の面と、前記第１の面の反対側に位置する第２の面と、前記第１の面と前記第２の面との間に位置する第１の端部と、前記第１の端部の反対側に位置する第２の端部と、前記第１の面に設けられるとともに画像を表示する表示部と、を有する。前記第１のベース筐体は、前記表示筐体の前記第１の端部とヒンジ部を介して結合する第３の端部、及び前記第３の端部の反対側に位置する第４の端部を有する。前記第２ベース筐体は、前記第１ベース筐体の前記第４の端部に取り外し可能に結合された第５の端部と、入力部を有する第３の面と、前記第３の面の反対側に位置する第４の面と、を有する。前記第１ベース筐体の前記第４の端部と前記第２ベース筐体の前記第５の端部とが結合された状態であるとき、前記ヒンジ部は、前記第２ベース筐体の前記第３の面と前記表示筐体の前記第１の面とが対向して前記入力部を前記表示部が覆う第１の位置と、前記第２ベース筐体の前記第４の面と前記表示筐体の前記第２の面とが対向して前記表示部が露出する第２の位置と、の間で移動可能に回動する。前記電子機器は、前記第１ベース筐体の前記第４の端部と前記第２ベース筐体の前記第５の端部との結合が外れた状態であるとき、前記第１の位置からの前記ヒンジ部の回動角度が１８０度以上の状態で、前記第２ベース筐体の第５の端部と前記第１ベース筐体の前記第３の端部とが近接する第３の位置、又は前記第１ベース筐体の前記第５の端部と前記表示筐体の前記第２の端部とが近接する第４の位置に前記表示筐体を配置可能である。
【国際調査報告】
2015092942.tif 000012
2015092942.tif 000013
2015092942.tif 000014
2015092942.tif 000015